(57)【要約】【課題】掛止部材の位置調整が自在で、所望の位置に簡単に固定できるポスターフレームを提供することである。【解決手段】上枠３と，この上枠３の両端部と一の端部がそれぞれ連結する一対の側枠４ａ，４ｂと，これら一対の側枠４ａ，４ｂの他の端部と連結して上枠３と対をなす下枠５を備えて四角線形状に形成される枠部２と、枠部２に内接し四角面形状に形成されてポスターを支持する平板部６とを備えるポスターフレーム１であって、枠部２の一対の側枠４ａ，４ｂは、それぞれ、溝部１７ａ，１７ｂと，この溝部１７ａ，１７ｂをスライド可能な第１のフック８ａ，８ｂと，この第１のフック８ａ，８ｂの移動を抑制する抑止部材９ａ，９ｂ，１０ａ，１０ｂと，第１のフック８ａ，８ｂの位置を示す目盛１１ａ，１１ｂとを有するものである。【選択図】図２
0003146028.tif 000002
【実用新案登録請求の範囲】
【請求項１】
上枠と，この上枠の両端部と一の端部がそれぞれ連結する一対の側枠と，これら一対の側枠の他の端部と連結して前記上枠と対をなす下枠を備えて四角線形状に形成される枠部と、前記枠部に内接し四角面形状に形成されてポスターを支持する平板部と、を備えるポスターフレームであって、前記枠部の一対の側枠は、それぞれ、溝部と，この溝部をスライド可能な第１のフックと，この第１のフックの移動を抑制する抑止部材と，前記第１のフックの位置を示す目盛と，を有することを特徴とするポスターフレーム。
【請求項２】
前記抑止部材はゴムで形成されることを特徴とする請求項１に記載のポスターフレーム。
【請求項３】
前記枠部の上枠は、溝部と,この溝部をスライド可能な少なくとも１個の第２のフックと,を有することを特徴とする請求項１又は請求項２に記載のポスターフレーム。
【請求項４】
前記枠部の下枠は、前記一対の側枠に対して着脱可能に構成され，前記一対の側枠及び／又は前記平板部に固定する固定部材を有することを特徴とする請求項１乃至請求項３のいずれか１項に記載のポスターフレーム。
【考案の詳細な説明】
【技術分野】
【０００１】
本考案は、ポスターを固定して掲示するポスターフレームに関する。
【背景技術】
【０００２】
一般に、ポスターを保持して掲示するポスターフレームは、ポスターを面状に支持する四角形の平板と、ポスターの周部を支持する枠体を有した構造であり、枠体の一部又は全部を着脱してポスターの交換を行う。また、通常、ポスターフレームの裏面側にはフックや紐状体等の掛止部材が設けられており、壁面に設置される棒状体やフックに掛止して掲示することができる。しかしながら、このような掛止部材は一定の位置に固定されることが多く、位置調整が自在で且つ所望の位置に固定できるものはなかった。また、これまでのポスターフレームに関する技術においてもポスターの着脱時の作業性や保持状態の向上に関するものが多数であった。
【０００３】
例えば、特許文献１には、「ポスターハンガー」という名称で、波打ったような皺を防止するポスターハンガーに関する発明が開示されている。
この特許文献１に開示された発明は、プラスチックで成形される裏面板と、この裏面板の上部に設けられるトップフレームと、このトップフレームの両端部付近に設けられポスターの上端部を両外側へ引っ張るクランパーとを備え、ポスターを裏面板上に重ね合わせるものである。
また、裏面板の上縁のトップフレームに対向して下縁にはボトムフレームが設置され、両横側にはそれぞれ２個のサイドフレームが設置されている。そして、裏面板とコ字形の両サイドフレームの溝によって形成される隙間に沿ってポスターを下側から上側に向けて裏面板上を擦るように挿入すると、プラスチック製の裏面板とポスターの摩擦によって静電気が生じ帯電により裏面板とポスターを密着させることができる。続いて、ポスターの上端部がトップフレームに当接したところで、トップフレームに設けられるクランパーを設置すると、クランパーによってポスターには外側に引っ張る力が作用し、ポスター上部に生じる皺を除去することができる。なお、ポスターの中央部に生じる皺は、手で外向きに擦るだけで容易に除去することが可能である。
また、トップフレームの裏面側には、側面形状がコ字形で下向きに開口するフックが設けられており、雑誌ラック什器の横棒などに掛止することができる。
【０００４】
また、特許文献２には、「ポスターフレーム」という名称で、ポスターの交換作業が簡単でポスターの中央部に生じる自重や変形による撓みを防止するポスターフレームに関する考案が開示されている。
この特許文献２に開示された考案は、底板と、この底板に隣接して形成又は貼着された低粘着膜とを有するものである。
詳細には、ベニヤ製等の底板には、表面側にシリコンゴム等からなる低粘着層が積層されたポリエチレンテレフタレートフィルムが強粘着層を介してされており、最表面となる低粘着層の上にポスターを密着させていくと、ポスターは低粘着層と軽度に貼着され、撓みを生じることなく底板上に保持することができる。また、ポスターを交換する際には、引き剥がすだけでポスターは簡単に低粘着層から外れるので、従来のポスターフレームのように周りの枠体を取り外したり、取り付けたりする必要がなく、交換時の作業効率が極めて良好なものになっている。
【特許文献１】特開平１０−１０５０９７号公報
【特許文献２】実用新案登録第３１１５９８６号公報
【考案の開示】
【考案が解決しようとする課題】
【０００５】
上述の従来技術である特許文献１に開示された発明は、ポスターに皺を生じさせないようにトップフレームにクランパーを具備したり、静電気を利用してポスターの密着性を向上させたりしているものであり、裏面側のフックについては、記載はあるもののその配置や位置調整に関する技術については特に開示されたり、あるいは言及等もされていない。
【０００６】
また、特許文献２に開示された考案は、低粘着層を設けることによってポスターと底板の密着性を向上させたり、ポスターの交換時の作業性を向上させたりするものであり、特許文献１と同様に、裏面側の掛止部材の構成については開示や言及、示唆等もされていない。
【０００７】
本考案はかかる従来の事情に対処してなされたものであり、掛止部材の位置調整が自在で、所望の位置に簡単に固定できるポスターフレームを提供することを目的とする。
【課題を解決するための手段】
【０００８】
上記目的を達成するため、請求項１記載の考案であるポスターフレームは、上枠と，この上枠の両端部と一の端部がそれぞれ連結する一対の側枠と，これら一対の側枠の他の端部と連結して上枠と対をなす下枠を備えて四角線形状に形成される枠部と、枠部に内接し四角面形状に形成されてポスターを支持する平板部と、を備えるポスターフレームであって、枠部の一対の側枠は、それぞれ、溝部と，この溝部をスライド可能な第１のフックと，この第１のフックの移動を抑制する抑止部材と，第１のフックの位置を示す目盛と，を有するものである。
このような構成のポスターフレームによれば、上枠と一対の側枠と下枠は四角線形状の枠部を形成してポスターの周部を支持するように作用し、また、四角面形状の平板部はポスターを面状に支持するように作用する。そして、枠部の一対の側枠においては、第１のフックは溝部を自在にスライドして第１のフックの垂直位置を変化させ、また、抑止部材は第１のフックの移動を抑制して第１のフックの位置を固定し、そして、目盛は第１のフックの位置を数値化して定量的に明示するという作用を有する。
【０００９】
また、請求項２記載の考案は、請求項１記載のポスターフレームにおいて、抑止部材はゴムで形成されるものである。
このような構成のポスターフレームにおいては、請求項１に記載の考案の作用に加えて、ゴムで形成される抑止部材は、柔軟で滑りにくいという作用を有する。
【００１０】
そして、請求項３記載の考案は、請求項１又は請求項２に記載のポスターフレームにおいて、枠部の上枠は、溝部と,この溝部をスライド可能な少なくとも１個の第２のフックと,を有するものである。
このような構成のポスターフレームにおいては、請求項１又は請求項２に記載の考案の作用に加えて、枠部の上枠は、溝部を備え、第２のフックはこの溝部をスライドして水平位置を自在に変化させるように作用する。
【００１１】
また、請求項４記載の考案は、請求項１乃至請求項３のいずれか１項に記載のポスターフレームにおいて、枠部の下枠は、一対の側枠に対して着脱可能に構成され，一対の側枠及び／又は平板部に固定する固定部材を有するものである。
このような構成のポスターフレームにおいては、請求項１乃至請求項３のいずれか１項に記載の考案の作用に加えて、枠部の下枠は、一対の側枠に対して外したり、着けたりが自在で、固定部材は下枠が一対の側枠に着けた状態のときに下枠が一対の側枠から外れないように固定するという作用を有する。
【考案の効果】
【００１２】
以上説明したように、本考案の請求項１に記載のポスターフレームにおいては、ポスターを枠部と平板部に支持させて、一対の側枠にそれぞれ設けられる溝部に掛合する二個のフックを棒状体などに掛止させると、壁面等に掲示することができるが、一対の側枠にはそれぞれ目盛が設けられているので、二個の第１のフックの垂直位置を簡単に等しくすることが可能で、ポスターフレームが斜めに掲示されるような不具合を防止できる。また、位置を決定したあとは、これらの第１のフックは抑止部材によって移動が抑制されるので位置ずれを生じることがない。従って、予め固定されている棒状体に対して、水平レベルを自由に変えることができると共に、その位置を固定することが可能である。
【００１３】
また、本考案の請求項２に記載のポスターフレームにおいては、抑止部材がゴムであり、柔軟であるので、取り扱いや交換が容易であり、また、滑りにくいのでフックの移動を効果的に抑制することができる。
【００１４】
そして、本考案の請求項３に記載のポスターフレームにおいては、上枠に溝部が設けられ、この溝部に掛合する少なくとも１個の第２のフックが設けられているので、側枠に設けられている第１のフックとは別個に、このフックを掛止部材として使用し、ポスターフレームを掲示することができる。あるいは、側枠に設けられている第１のフックでは届かない上方で固定が必要な場合にも利用が可能である。
【００１５】
また、本考案の請求項４に記載のポスターフレームにおいては、下枠が一対の側枠に対して着脱可能であるので、ポスターの挿脱は、下枠を外して行うことができる。また、下枠は固定部材を備えているので、一対の側枠又は平板部から外れることなく、枠部を確実に形成することができる。
【考案を実施するための最良の形態】
【００１６】
以下に、本考案の最良の実施の形態に係るポスターフレームを図１乃至図６を参照しながら説明する（請求項１乃至請求項４に対応）。
図１（ａ）は、本考案の実施の形態に係るポスターフレームの正面図であり、（ｂ）は図１（ａ）中にＸ−Ｘ線で示された部分の矢視断面図である。
図１（ａ）において、ポスターフレーム１は、主に、四角線形状の枠体２と、四角面形状の平板６から構成されている。また、枠体２は、ポスターフレーム１の上縁となる上枠３と、この上枠３の両端部にそれぞれ垂直に連結される一対の側枠４ａ，４ｂと、上枠３と対をなし、一対の側枠４ａ，４ｂの下端部に対して垂直に設けられる着脱可能な下枠５を備えている。
また、図１（ｂ）において、上枠３は、正面側に溝７を備え、背面側に溝１６と接合部１９を備えている。上枠３の背面側の詳細については後述するが、溝１６はフック（図２に示す第２のフック１３ａ，１３ｂ）がスライド移動するためのものであり、接合部１９は平板６と接着剤等によって接着され、上枠３と平板６を接合するものである。また、平板６は、突起部３２によって拘束、固定されており、平板６の表面に貼着されるポスターは、その端部を上枠３の正面側の溝７に挿入されて係止部材３１との接触摩擦によって支持される。なお、図示していないが、上枠３以外の一対の側枠４ａ，４ｂ及び下枠５についても図１（ｂ）に示す同様の断面形状を有している。
すなわち、ポスターの大部分は平板６に支持され、ポスターの四辺の端部は、上枠３に設けられる溝７、一対の側枠４ａ，４ｂに設けられる溝及び下枠５に設けられる溝に挿入されてポスターフレーム１に保持される。
【００１７】
ポスターを挿入する場合は、まず、下枠５を一対の側枠４ａ，４ｂから外して、ポスターの両側部を一対の側枠４ａ，４ｂの溝に沿うようにしてポスターの上端部から挿入し、上枠３に向けて移動させる。そして、ポスターの上端部が上枠３の溝７に到達したらポスターの移動を停止し、下枠５を一対の側枠４ａ，４ｂに取り付ける。ポスターの下端部が下枠５の溝に合うようにポスターの位置を微調整すると、ポスターのポスターフレーム１内への挿入が完成する。逆に、ポスターをポスターフレーム１から取り出す場合は、下枠５を一対の側枠４ａ，４ｂから取り外し、ポスターの下端部を引き抜くことにより、ポスターはポスターフレーム１から簡単に取り出すことができる。
なお、本実施の形態においては、ポスターの表面を保護する保護板を設置していないが、ガラス板や透明なプラスチック板を用いた保護板を設置するようにしてもよい。あるいはもっと薄い透明フィルムなどを保護板として用いることで、それぞれの枠に設けられた溝に挿入が容易となる。
また、枠体２及び平板６には、ＡＢＳ樹脂やＰＢＴ樹脂などの合成樹脂を用いると軽量なポスターフレーム１を形成することができる。但し、材料は、ＡＢＳ樹脂やＰＢＴ樹脂などの合成樹脂に限定されるものではなく、アルミニウム等の金属を用いてもよい。
【００１８】
次に、本実施の形態に係るポスターフレームの背面側について図２を参照しながら説明する。
図２は、本実施の形態に係るポスターフレームの背面図である。
図２において、ポスターフレーム１の背面側は、図１（ｂ）に示したように、枠体２が表裏で一体に形成されており、上枠３、一対の側枠４ａ，４ｂ及び下枠５は、それぞれ、溝１６、溝１７ａ，１７ｂ、溝１８と、平板６と接合される接合部１９、接合部２０ａ，２０ｂ、接合部２１を備えている。
各部についての詳細な説明は後述するので、ここでは、簡単に概要を説明する。
まず、上枠３には、棒状体に掛止可能な２個の第２のフック１３ａ，１３ｂが溝１６を水平方向にスライド自在に設置されている。
また、一対の側枠４ａ，４ｂには、棒状体に掛止可能な第１のフック８ａ，８ｂが溝１７ａ，１７ｂにそれぞれ垂直方向にスライド自在に設置されている。そして、第１のフック８ａ，８ｂには上下位置にそれぞれ第１のストッパ９ａ，９ｂと第２のストッパ１０ａ，１０ｂが溝１７ａ，１７ｂに嵌入されており、第１のフック８ａ，８ｂの移動を抑制している。さらに、接合部２０ａ，２０ｂには目盛１１ａ，１１ｂが設置されており、第１のフック８ａ，８ｂの位置を数値で定量的に把握することができる。もちろん、目盛１１ａ，１１ｂは予め水平位置を符合させて同じ目盛位置の箇所に第１のフック８ａ，８ｂを揃えることで水平を出せるようになっている。
そして、下枠５の溝１８には平板６に設けられる第２の固定部材１５の先端が着脱自在に掛止されている。
【００１９】
また、枠体２は組み立て式であり、組み立て前は上枠３、一対の側枠４ａ，４ｂ及び下枠５はそれぞれが分離している。したがって、組み立て時には、上枠３と一対の側枠４ａ，４ｂの上端部の連結部分には、連結部材１２ａ，１２ｂがそれぞれ溝１６と溝１７ａ，１７ｂに嵌入されて上枠３と一対の側枠４ａ，４ｂを連結し、枠体２の強度を強化している。この連結部材１２ａ，１２ｂはいずれも断面が凸形状で、溝１６及び溝１７ａ，１７ｂに嵌合するように形成されている。
一方、前述のとおり、下枠５は一対の側枠４ａ，４ｂに対して着脱自在に構成されており、一対の側枠４ａ，４ｂの下端部と下枠５の接続部分には、着脱可能な第１の固定部材１４ａ，１４ｂがそれぞれ溝１８と溝１７ａ，１７ｂに嵌入されている。この第１の固定部材１４ａ，１４ｂも連結部材１２ａ，１２ｂと同様に断面が凸形状で、溝１８及び溝１７ａ，１７ｂに嵌合するように形成されている。
【００２０】
続いて、本実施の形態に係るポスターフレームの枠体の詳細について図３乃至図６を参照しながら説明する。
図３は、図２中の符号Ａで囲まれた部分の拡大図である。
図３において、側枠４ａの背面側には、溝１７ａと接合部２０ａが形成されており、溝１７ａには、フック挿入口２２ａが設けられており、また、このフック挿入口２２ａから挿入されて、溝１７ａを垂直方向にスライド可能な第１のフック８ａが嵌合されている。この溝１７ａの構造も図１（ｂ）に示される溝１６と同様である。
そして、第１のフック８ａの上下位置の溝１７ａには、第１のストッパ９ａ及び第２のストッパ１０ａが第１のフック８ａに当接して嵌入されており、第１のフック８ａの移動を抑制して第１のフック８ａの位置を固定している。これらの第１のストッパ９ａ及び第２のストッパ１０ａはゴムで形成されており、柔軟であるので、溝１７ａに押し込むと、変形しながら容易に溝１７ａに嵌入することができ、また、滑りにくいので、第１のフック８ａ，８ｂを用いてポスターを貼着したポスターフレーム１を壁面などに掛止した際でも、溝１７ａとの摩擦によってストッパ自体の移動が抑止され、嵌合された位置を保持することができる。
また、接合部２０ａには溝１７ａに沿って目盛１１ａが設置されている。目盛１１ａは１ｃｍ毎に点線が明示され、５ｃｍ毎に数値が記載されており、溝１７ａをスライド移動する第１のフック８ａの位置を数値として定量的に認識することができ、例えば、図３においては、第１のフック８ａは１５ｃｍの位置にある。なお、目盛１１ａの１ｃｍの幅や５ｃｍ毎の数値の記載は、これらに限定されるものではなく、ポスターフレーム１の大きさや掲示上要求される精度によって適宜変更されてもよい。
図示していないが、側枠４ａと対をなす図２に示す側枠４ｂにおいても同様の構造が具備されており、第１のフックは第１のストッパ及び第２のストッパによって位置が固定され、また目盛によって位置を数値で表示するので、対をなす２個の第１のフック８ａ，８ｂは溝において等しい位置に簡単に固定することができ、ポスターフレームを壁面などに掛止する際に、ポスターフレームが斜めになるような不具合を防止することができる。
なお、目盛１１ａは、裏面に接着剤を塗布したシール状のものを接合部２０ａに貼着しているが、目盛１１ａの形態は特に限定されるものではなく、例えば、接合部２０ａに直に印刷したりあるいは刻字するようにしてもよい。
【００２１】
次に、図４は、本実施の形態に係るポスターフレームの第１あるいは第２のフックの概念図である。
図４において、例えば、第１のフック８ａ，８ｂであれば、一対の側枠の溝を垂直方向にスライド移動するものであって、スライド部２３と掛止部２４から構成されている。スライド部２３は水平方向の断面がＴ字形に形成されており、一対の側枠の溝に嵌合して離脱することなくスライドができるようになっている。このスライド部２３の側面には貫通する紐用孔２９が穿設されており、この紐用孔２９に紐を通し、第１のフック８ａ，８ｂのみならずこの紐によってポスターフレーム１を掛止することも可能である。また、掛止部２４は垂直方向の断面がＵ字形に形成され、壁面等に設置される棒状体等に掛止できるようになっている。その際には、ストッパ３０によって摩擦力を生じさせて外れを防止している。
第２のフック１３ａ，１３ｂも図４に示される第１のフック８ａ，８ｂと基本的な構造は同じである。
なお、第１のフック８ａ，８ｂ及び第２のフック１３ａ，１３ｂのいずれも紐用孔２９については選択であり、設けなくともよい。そもそも第１のフック８ａ，８ｂは壁面などの棒状体の位置が固定されている際に、ポスターフレーム１の位置を柔軟に変更してディスプレイを容易にするためのものであり、紐はその長さを変えることで垂直方向位置は変更可能であるものの、紐が目に見えてしまい、ディスプレイの美観を損ねてしまうので、これを用いないようにするためのものだからである。
【００２２】
続いて、図５は、図２中の符号Ｂで囲まれた部分の拡大図である。
図５において、上枠３の背面側には、側枠と同様に、溝１６と接合部１９が形成されている。符号２２はフック挿入口であり、第２のフック１３ａは、この挿入口から溝１６に挿入されて、図示しないが、第２のフック１３ａのスライド部が溝１６に掛合して水平方向に自在にスライドできるようになっている。溝１６の構造は既に図１（ｂ）を参照して説明したとおりである。
第２のフック１３ａを用いると、ポスターフレームは上枠３から吊設されるように掲示できる。なお、上枠３に設置される第２のフック１３ａ，１３ｂの設置数は特に限定されないが、上枠３の第２のフックのみを用いてポスターフレームを吊設するのであれば少なくとも２個設ける方が安定するので好ましい。一対の側枠に設置されるフックの補助として用いる場合は、１個の設置でも十分であるし、また、特に設置しなくてもよい。
そして、本実施の形態では、重力を受けて垂直方向にずれを生じる可能性の高い第１のフック８ａ，８ｂとは異なり、第２のフック１３ａに対してストッパは設けていないが、第２のフック１３ａを挟むようにして２個のストッパを設けて、第２のフック１３ａの移動を抑制し、第２のフック１３ａの位置を固定するようにしてもよい。
【００２３】
次に、図６は、図２中の符号Ｃで囲まれた部分の拡大図である。
図６において、下枠５には溝１８が形成されている。この溝１８も図１（ｂ）を参照して説明した溝１６と同様の構造である。前述の通り、下枠５は一対の側枠に対して着脱が可能になっており、下枠５を一対の側枠に着けた際に、下枠５と一対の側枠及び平板６を固定するための二種類の固定部材が設けられている。一つは、符号１４ａで示される第１の固定部材である。第１の固定部材１４ａは、略Ｌ字状の嵌合部２５とこの嵌合部２５から延設される二個の把持部２６，２６を備えており、嵌合部２５は、下枠５の溝１８及び側枠４ａの溝１７ａに掛合できるように断面が凸形状に形成されて、下枠５と側枠４ａの接続部分においてに跨って嵌合されている。また、図示していないが、把持部２６のいずれの先端にも突起が形成されており、これらの突起は、同じく図示していないが、側枠４ａの溝１７ａ及び下枠５の溝１８にそれぞれ穿設された嵌合孔に各々嵌合するように構成されている。第１の固定部材１４ａは側枠４ａ側に位置する把持部２６を引っ張って突起を嵌合孔から抜き、下枠５を下方に引っ張ると、溝１７ａに嵌合した嵌合部２５が溝１７ａをスライド移動して、第１の固定部材１４ａの溝１７ａから外れて、下枠５が側枠４ａから外れる。なお、図示していないが、側枠４ａと対をなす側枠も同様の構造を有しており、下枠５の着脱においては、もう一方の側枠も側枠４ａの場合と同様の操作をする必要がある。
また、二つ目の固定部材は、符号１５で示す第２の固定部材である。第２の固定部材１５は、平板６に固設される固設部２７と、この固設部２７から延設され、先端が下枠５の溝１８に掛止可能な掛止部２８を備えている。掛止部２８を溝１８に掛止させると、下枠５と平板６を固定し、逆に、掛止部２８を溝１８から外すと、下枠５と平板６の固定を解除し、下枠５を取り外すことができる。
また、この第２の固定部材１５は、固設部２７によって背面から平板６を押すように作用するため、平板６とその平板６に貼設されたポスターの撓みを防止することが可能である。すなわち、撓み防止機能を備えた固定部材となる。従って、この第２の固定部材１５の設置位置は、特に下枠５に限定することもなく、上枠３や側枠４ａ，４ｂに設置してもよいし、その数も必要に応じて自由に増やしてよい。例えば上枠３と下枠５に設置したり、側枠４ａ，４ｂに設置したり、全ての枠に設置してもよいのである。
なお、本実施の形態においては、第１の固定部材１４ａ及び第２の固定部材１５の両方を設置したが、いずれか一方のみを設置するようにしてもよい。
【００２４】
このように構成された本実施の形態においては、一対の側枠にスライド可能な第１のフックを設け、掛止する位置を鉛直方向に自由に設定することができるとともに、目盛を具備しているので、第１のフックの位置を正確に決めることができるので、左右の第１のフックが位置ずれすることなく、ポスターフレームを水平に掲示することを可能にしている。
また、ＡＢＳ樹脂やＰＢＴ樹脂を用いて形成しているので軽量化が可能であり、そして、組み立て式であるので、組み立て前はコンパクトとなり輸送が容易なものになっている。
【産業上の利用可能性】
【００２５】
以上説明したように、請求項１乃至請求項４に記載された本考案は、一対の側枠に設置される一対の第１のフックの位置調整が正確且つ容易に行えるポスターフレームを提供可能であり、服飾販売店舗や飲食物を提供する店舗等においてディスプレイ用具として利用可能である。また、美術館や博物館あるいは図書館等、さらには一般家庭などでもポスターを掲示するニーズがある場所であればどこでも利用が可能である。
【図面の簡単な説明】
【００２６】
【図１】（ａ）は本考案の実施の形態に係るポスターフレームの正面図であり、（ｂ）は図１（ａ）中にＸ−Ｘ線で示された部分の矢視断面図である。
【図２】本実施の形態に係るポスターフレームの背面図である。
【図３】図２中の符号Ａで囲まれた部分の拡大図である。
【図４】本実施の形態に係るポスターフレームのフックの概念図である。
【図５】図２中の符号Ｂで囲まれた部分の拡大図である。
【図６】図２中の符号Ｃで囲まれた部分の拡大図である。
【符号の説明】
【００２７】
１…ポスターフレーム  ２…枠体  ３…上枠  ４ａ，４ｂ…側枠  ５…下枠  ６…平板  ７…溝  ８ａ，８ｂ…第１のフック  ９ａ，９ｂ…第１のストッパ  １０ａ，１０ｂ…第２のストッパ  １１ａ，１１ｂ…目盛  １２ａ，１２ｂ…連結部材  １３ａ，１３ｂ…第２のフック  １４ａ，１４ｂ…第１の固定部材  １５…第２の固定部材  １６…溝  １７ａ，１７ｂ…溝  １８…溝  １９…接合部  ２０ａ，２０ｂ…接合部  ２１…接合部  ２２ａ…フック挿入口  ２３…スライド部  ２４…掛止部  ２５…嵌合部  ２６…把持部  ２７…固設部  ２８…掛止部  ２９…紐用孔  ３０…ストッパ  ３１…係止部材  ３２…突起部
【図１】
0003146028.tif 000003
【図２】
0003146028.tif 000004
【図３】
0003146028.tif 000005
【図４】
0003146028.tif 000006
【図５】
0003146028.tif 000007
【図６】
0003146028.tif 000008